(57)【特許請求の範囲】
【請求項１】
金属又は金属合金で形成され、かつ長手方向に連結孔が形成されたレール部材と；これらのレール部材の連結孔に装着して複数のレール部材を連結するための連結ピンとを備えた連結構造であって、
前記連結ピンが、前記連結孔に挿入可能な所定長さの円筒状の軸部と；この軸部の両側部を残して形成され、前記連結孔の内径よりも大きな外径の厚肉円筒部と；この厚肉円筒部の周面に刻設された溝部により形成された突起部とを備えており、
この突起部が、（１）前記厚肉円筒部の周面に互いに交差して刻設された溝部により形成され、縦横方向に、又は軸方向に対して互い違いに隣接する多角錘状の突起部；又は（２）前記厚肉円筒部の周面の周方向に間隔をおいて軸方向に互いに平行に刻設された溝部により形成され、周方向に間隔をおいて軸方向に延びる断面逆Ｖ字状の凸条である、連結構造。
【請求項２】
レール部材が、上下方向に延びる板状支軸部と、この板状支軸部の上下両端部から側方に延出する延出部と、前記板状支軸部の上下端部に形成された連結孔とを有している請求項１記載の連結構造。
【請求項３】
レール部材が、左右対称な断面Ｉ字状の形態に形成されている請求項１又は２記載の連結構造。
【請求項４】
請求項１記載の（１）の態様において、連結ピンの溝部が、斜め方向に交差して前記軸部の外径以下の深さに螺旋状に形成され、厚肉円筒部に四角錐状の突起部が隣接して形成されている請求項１〜３のいずれかに記載の連結構造。
【請求項５】
金属又は金属合金で形成され、かつ長手方向に連結孔が形成されたレール部材を、隣接させ、前記レール部材の連結孔に連結ピンの両側部をそれぞれ装着して連結する方法であって、
前記連結ピンとして、前記連結孔に挿入可能な所定長さの円筒状の軸部と；この軸部の両側部を残して形成され、前記連結孔の内径よりも大きな外径の厚肉円筒部と；この厚肉円筒部の周面に刻設された溝部により形成された突起部とを備えており、
この突起部が、（１）前記厚肉円筒部の周面に互いに交差して刻設された溝部により形成され、縦横方向に、又は軸方向に対して互い違いに隣接する多角錘状の突起部；又は（２）前記厚肉円筒部の周面の周方向に間隔をおいて軸方向に互いに平行に刻設された溝部により形成され、周方向に間隔をおいて軸方向に延びる断面逆Ｖ字状の凸条である、連結ピンを用い、隣接するレール部材を連結する方法。
【発明の詳細な説明】
【技術分野】
【０００１】
本発明は、短尺なレール部材を連結して長尺なレールを形成するのに有用な連結部材及びそれを備えた連結構造に関する。
【背景技術】
【０００２】
隣接する部材を連結するため、種々の連結部材が利用されている。例えば、ブラケットを用いて、レール部材を取り付けることが知られている。しかし、ブラケットはレール部材の長手方向に間隔をおいて取り付けられるため、通常、隣接するレール部材を接続して延長することは困難である。
【０００３】
一方、一対の部材を回動可能に連結するため、枢支軸としての連結ピンが利用されている。また、特開平８−２６０２０号公報（特許文献１）には、トラックなどの車両において、ロープのフック（金具）を掛け止めるラッシングレール（長尺金属板）の取付装置に関し、ラッシングレールの上下両端部のうち少なくとも一方に外方へ突出した凸部と、内方に突出した凸部とを縦方向に隣接しかつ対向させて形成し、これらの凸部の対向部に連結ピン嵌込み用溝を形成して貫通孔２０を形成し、この貫通孔の全長のうち少なくとも前後両端部に連結ピンを挿入することにより、作業性がよくラッシングレールを取付けることが記載されている。しかし、このような形態は、連結ピンにより、レール部材を長手方向に延長するものではない。
【０００４】
ランナーなどが走行可能なレール部材を配設するため、上部壁に取り付け可能な連結部材が利用されている。例えば、特開２０１３−１３５８３１号公報（特許文献２）及び特開２０１３−８１７４７号公報（特許文献３）には、隣接するレール部材の連結孔（又は連結凹部）に、連結棒状体（ジョイントピンなど）を装着することにより、隣接するレール部材を長手方向に連結して延長可能であることが記載されている。これらの文献に記載の前記連結棒状体を用いると、レール部材を位置決めしつつ連結できる。しかし、連結棒状体の直径が連結孔の内径よりも小さいと、連結孔への装着は容易であっても、隣接するレール部材が互いに変位し、強固に連結できない。一方、連結棒状体の直径が連結孔の内径と同じであれば連結孔への装着が困難となる。
【０００５】
さらに、レール部材は、通常、積み重ねて保管及び輸送されるものの、長尺であり、かつ重量が大きい。そのため、大きな保管及び輸送スペースが必要となるとともに、保管及び輸送コストも増大する。
【先行技術文献】
【特許文献】
【０００６】
【特許文献１】特開平８−２６０２０号公報（［０００１］［０００７］、図１）
【特許文献２】特開２０１３−１３５８３１号公報（［００７２］、図５）
【特許文献３】特開２０１３−８１７４７号公報（［００４５］、図４）
【発明の概要】
【発明が解決しようとする課題】
【０００７】
従って、本発明の目的は、短尺なレール部材を簡便かつ確実に連結して長尺なレールを形成できる連結部材（係合連結部材、連結ピン）及びそれを備えた連結構造を提供することにある。
【０００８】
本発明の他の目的は、レール部材の保管及び輸送スペース並びに保管及び輸送コストを低減可能な連結部材及びそれを備えた連結構造を提供することにある。
【課題を解決するための手段】
【０００９】
本発明者は、前記課題を達成するため鋭意検討した結果、レール部材を短尺にし、この短尺なレール部材の両側壁に被係合部（凹溝又は突条など）を形成するとともに、長手方向に延びる連結孔を形成し、壁部に取り付け可能な係合連結部材（挟持又は挟圧連結部材）の一方の端部で第１の被係合部を係合させ、他方の端部でネジ部材の進退動を利用して第２の被係合部と係合させると、レール部材の両端部を挟持又は把持状態で連結でき、隣接するレール部材を位置ズレさせることなく強固に連結できること；レール部材に長手方向に延びる連結孔を形成し、隣接するレール部材の連結孔に装着又は挿入する連結ピンとして、連結孔に挿入可能な外径を有する軸部の長手方向の中央域に、連結孔の内径よりも大きな外径の厚肉円筒部を形成し、この厚肉円筒部の周面に交差して刻設して交差溝部などを形成した連結ピン（連結棒体）を用いると、連結孔に対して軸部を装着又は挿入して交差溝部などの間の凸部を圧入すると、交差溝部間の凸部の頂部が圧潰し、隣接する短尺なレール部材を位置ズレすることなく確実かつ強固に連結できることを見いだし、本発明を完成した。
【００１０】
すなわち、本発明の係合連結部材は、両側壁に被係合部を有するレール部材を連結し、壁部（天井壁などの上部壁及び／又は側部壁）に対して取り付けるために用いられる。係合連結部材は、前記壁部に対して取り付け可能であり、かつ互いに隣接する短尺のレール部材（短尺な一対のレール部材）の連結域（所定長さの隣接域）に配設可能な板状取付部と；この板状取付部の幅方向の一方の端部で屈曲又は湾曲し、かつ前記レール部材の一方の側壁に形成された第１の被係合部（凹溝又は突条など）に係合可能な屈曲係合部と；前記板状取付部の幅方向の他方の端部に形成され、かつ前記レール部材の他方の側壁に形成された第２の被係合部（凹溝又は突条など）に対して、進退動により係合（及び／又は挟持）可能な進退動部材が装着可能な側部壁（例えば、螺合部材が進入可能な側部壁）とを備えている。このような係合連結部材は、前記進退動部材の前進動によりレール部材との係合のみならずレール部材を挟持又は挟圧可能であるため、挟持又は挟圧連結部材ということもできる。このような係合連結部材は、隣接するレール部材の連結域に配設されるため、通常、短尺であり、前記板状取付部の連結域又は隣接域を跨いだ形態で取り付けてもよい。
【００１１】
このような形態のレール部材は、隣接する短尺のレール部材を連結するため、係合連結部材としての連結ピン（又は連結棒体）により、互いに長手方向に連結可能な連結孔を備えていてもよい。また、連結ピン（又は連結棒体）は、所定長さの軸部（又は円筒状軸部）と、この軸部の両側部を残して軸方向の中央域に形成された厚肉円筒部と、この厚肉円筒部に互いに平行に又は交差して形成された溝部（螺旋状溝部など）とを備えていてもよい。
【００１２】
本発明は、長手方向に連結孔が形成された複数の短尺のレール部材を連結するための連結ピン（又は連結棒体）も包含する。この連結ピン（又は連結棒体）は、前記連結孔に挿入可能な所定長さの軸部（円筒状軸部など）と、この軸部の軸方向の中央域（両側部を残した中央領域）に形成され、前記連結孔の内径よりも大きな外径の厚肉円筒部と、この厚肉円筒部の周面に互いに平行に又は交差して刻設された溝部（例えば、斜め方向に溝が交差する螺旋状溝部など）とを備えている。このような連結ピン（又は連結棒体）において、溝部（又は螺旋状溝部）は、斜め方向に交差して前記軸部の外径以下の深さに螺旋状に形成してもよく、厚肉円筒部に四角錐状の突起部を隣接して形成してもよい。なお、溝は、前記連結孔の内径以下の深さで形成してもよい。
【００１３】
本発明は、レール部材の両側壁の被係合部に係合した形態で配設可能な係合連結部材（挟持又は挟圧連結部材）と；前記レール部材の長手方向に形成された連結孔に装着可能な連結ピン（又は連結棒体）とを備えた連結セット、並びに前記レール部材と係合連結部材と連結ピン（又は連結棒体）とを備えた連結構造も包含する。この連結セット及び連結構造において、前記係合連結部材は、隣接する短尺のレール部材の連結域に配設して前記被係合部と係合又は挟持可能な前記係合連結部材で構成してもよく、前記連結ピン（又は連結棒体）は、隣接する前記レール部材の連結孔に装着可能な前記連結ピン（又は連結棒体）で構成してもよい。
【００１４】
さらに、本発明は、隣接するレール部材を連結する方法（又は施工する方法）も包含する。この方法では、壁部に前記係合連結部材（挟持連結部材）を取り付け；この係合連結部材板状取付部を、端面を突き合わせ又は対峙させた状態で、隣接する短尺のレール部材の連結域に配設して、前記係合連結部材の屈曲係合部に、前記レール部材の第１の被係合部を係合させるとともに、前記レール部材の第２の被係合部に進退動部材を前進動させて係合させ；隣接するレール部材の連結孔に前記連結ピンの両側部をそれぞれ装着（又は圧入）することにより、隣接するレール部材を連結（又は施工）できる。
【００１５】
なお、本明細書において、係合連結部材（又は挟持連結部材）と連結ピンとがそれぞれ連結手段として機能するため、単に「連結部材」と総称する場合がある。また、連結ピンは、細長い形態に限らず棒状体も含む意味に用いる。
【発明の効果】
【００１６】
本発明では、係合連結部材（挟持又は挟圧連結部材）の係合及び挟持機構及び進退動を伴う係合機構を利用するため、短尺なレール部材を簡便かつ確実に整然と連結でき、短尺なレール部材を延長して長尺なレールを形成できる。また、所定の連結ピンを利用するため、短尺なレール部材を位置ズレすることなく整然と確実かつ強固に連結できる。さらに、前記係合連結部材及び連結ピンを利用して、簡便かつ強固にレール部材の連結構造を形成でき、レール部材を整然と連結又は施工できる。さらには、レール部材の長さを短くして（短尺にして）保管及び輸送できるため、小さなスペースで保管及び輸送でき、輸送コストを大きく低減できる。
【図面の簡単な説明】
【００１７】
【図１】図１は本発明の連結構造の一例を示す概略分解斜視図である。
【図２】図２は図１の連結構造を形成する方法を説明するための概略図である。
【図３】図３は図１の連結ピンを示す概略図である。
【図４】図４は図１の連結ピンの螺旋状交差溝部を示す拡大部分概略斜視図である。
【図５】図５は本発明の連結構造の他の例を示す概略分解斜視図である。
【図６】図６は本発明の連結構造のさらに他の例を示す概略分解斜視図である。
【図７】図７は連結ピンの他の例を示す概略図である。
【図８】図８は図７の連結ピンを示す概略側面図である。
【図９】図９は本発明の連結構造の別の例を示す概略分解斜視図である。
【発明を実施するための形態】
【００１８】
図１〜図４に示す例において、レール部材１ａ，１ｂは短尺であり、金属の押し出し加工（又はアルミニウムの押し出し成形）により左右対称な断面形状に形成されている。すなわち、短尺なレール部材１ａ，１ｂは、板状上部壁２と、この板状上部壁の両端部から延びる両側壁３ａ，３ｂと、この両側壁の上部に長手方向に沿って凹設され断面コ字状の凹溝４ａ，４ｂと、この凹溝により両側壁３ａ，３ｂの上端部に形成された突条５ａ，５ｂとを備えており、凹溝４ａ，４ｂと突条５ａ，５ｂとで被係合部を形成している。また、両側壁３ａ，３ｂの下端部はそれぞれ内側に屈曲してランナーが走行可能な走行部を形成している。すなわち、両側壁３ａ，３ｂの下端部からそれぞれ内側に屈曲し、所定間隔をおいて延びる屈曲底部壁６ａ，６ｂと、この屈曲底部壁の先端部に形成され、ランナーの車輪が走行可能な走行壁７ａ，７ｂと、この走行壁に長手方向に延びて形成された連結孔８ａ，８ｂとを有している。なお、対向する一対の走行壁の間の空間は、ランナーの走行空間を形成し、走行壁７ａ，７ｂの上部壁（上面）はランナーの車輪と接触可能な走行路を形成しており、前記連結孔８ａ，８ｂは、両側壁３ａ，３ｂ方向に向いて長手方向に沿って開口している。なお、板状上部壁２には、浅溝状の凹部が長手方向に形成され、板状上部壁２の内壁は、座繰り加工され、この座繰り部を利用して、ネジ部材１７などの固定部材で上部壁に取り付け可能である。
【００１９】
このようなレール部材１ａ，１ｂを連結して壁部（上部壁、側部壁など）に取り付けるため、レール部材１ａ，１ｂの連結域（隣接域）に対応する長さの係合連結部材（長さの短い係合連結部材）１１が利用されている。この係合連結部材１１は、前記壁部に対して取り付け可能な板状取付部１２と、この板状取付部の幅方向の一方の端部から鋭角にＶ字状に湾曲又は屈曲し、かつ前記レール部材１ａ，１ｂの一方の側壁の第１の凹溝４ａに屈曲先端部が挿入して、第１の突条５ａと係合可能な屈曲係合部１３と、前記板状取付部１２の幅方向の他方の端部から延びる側部壁１４とを備えており、この側壁部の長手方向には、所定間隔をおいて複数の螺合部材（ネジ部材）１５が進退動可能に螺合可能な螺合孔（雌ねじ部）１６が形成されている。そのため、螺合部材（ネジ部材）１５を側壁部１４の螺合孔１６に螺合することにより、前記レール部材１ａ，１ｂの他方の側壁に形成された第２の凹溝４ｂに対して螺合部材（ネジ部材）１５を前進動させて第２の凹溝４ｂに進入又は嵌合させ、螺合部材（ネジ部材、ビス）１５の軸部の先端部を第２の突条５ｂと係合可能である。さらに、螺合部材（ネジ部材、ビス）１５の軸部と第２の突条５ｂとの係合に加え、螺合部材（ネジ部材）１５の前進動により、レール部材１ａ，１ｂを挟持又は挟圧可能である。なお、側部壁１４のうち螺合孔（雌ねじ部）１６の周縁部は外方向に突出した押出部１６ａが形成され、この押出部に螺合孔（雌ねじ部）１６が形成されている。
【００２０】
このような係合連結部材１１では、ネジ部材１７などの固定部材を用いて係合連結部材１１の板状取付部１２を上部壁に取り付け、互いに隣接する短尺なレール部材１ａ，１ｂの隣接域（連結域）をカバーした状態で、隣接域（連結域）に係合連結部材１１の板状取付部１２を位置させ又は配設し、係合連結部材１１の屈曲係合部１３にレール部材１ａ，１ｂの第１の凹溝４ａを挿入して第１の突条５ａと係合させ、係合連結部材１１の側壁部１４から螺合部材（ネジ部材）１５を螺合させて螺合部材（ネジ部材）１５の先端部（軸部）を第２の凹溝４ｂに進入させて、第２の突条５ｂと係合又は第２の凹溝４ｂを押圧することにより、短尺なレール部材１ａ，１ｂの隣接域（連結域）を位置ズレすることなく両側部から挟持（挟着）又は把持した形態で強固に連結できる。また、係合連結部材１１の屈曲係合部１３を第１の突条５ａと係合させ、この係合部を基点としてレール部材１ａ，１ｂを板状取付部１２の内壁（又は下面）に向けて回動させて螺合部材（ネジ部材）１５を螺合して挟圧するという簡単な方法で、レール部材１ａ，１ｂをその隣接域（連結域）において確実に連結できる。その際、螺合部材１５の先端部を側壁部１４の内壁から突出させることなく、螺合部材１５の先端部を螺合孔（雌ねじ部）１６に螺合させても、外方向に突出した押出部１６ａで厚みを確保して螺合部材１５を保持でき、螺合部材１５の抜けを防止できる。そのため、螺合部材１５の先端部を螺合孔（雌ねじ部）１６内に止めた状態（側壁部１４の内壁から突出していない仮止め状態）で、前記係合部を基点としてレール部材１ａ，１ｂを板状取付部１２の内壁（又は下面）に回動しても、側壁部１４が螺合部材１５の先端部と接触することがない。従って、螺合部材１５の先端部を螺合孔１６内に螺合させた仮止め状態で、レール部材１ａ，１ｂを回動させて、螺合部材１５をさらに螺合させて先端部を前進させることにより、係合連結部材１１に対してレール部材１ａ，１ｂを円滑に装着できる。
【００２１】
さらに、前記連結孔８ａ，８ｂには、連結ピン２１が装着又は圧入可能である。この連結ピン２１は、連結孔８ａ，８ｂに挿入可能な所定長さの円筒状軸部２２と、この円筒状軸部の軸方向の中央部域（両側部を余した中央部領域）に形成された厚肉円筒部２３とを備えており、この厚肉円筒部の外径は、前記連結孔８ａ，８ｂの内径よりも大きく形成されている。そして、前記厚肉円筒部２３の周面には、軸方向（長手方向）に対して斜め方向に交差した螺旋状の形態で、前記軸部２２の外径よりも深く（又は連結孔８ａ，８ｂの内壁よりも深く）、断面Ｖ字状の溝部２４が刻設され、交差溝部（螺旋状溝部）２５を形成しており、この交差溝部（螺旋状溝部）では、前記溝部２４の刻設により、四角錐状（又はピラミッド状）の突起部２６が千鳥状に隣接して形成されている。
【００２２】
このような連結ピン２１では、連結ピン２１の両側部の軸部２２を隣接するレール部材１ａ，１ｂの連結孔８ａ，８ｂにそれぞれ容易に挿入できるとともに、レール部材１ａ，１ｂの連結孔８ａ，８ｂに連結ピン１１の厚肉円筒部（交差溝部又は螺旋状溝部）２３を圧入すると、四角錐状の突起部２６が圧潰し、隣接する短尺なレール部材１ａ，１ｂを位置ズレすることなく整然と緊密かつ強固に連結する。なお、連結ピン２１の圧入は、慣用の方法、例えば、連結ピン１１又はレール部材１ａ，１ｂの端部を金槌や木槌などの打撃部材で叩く方法などで行うことができる。
【００２３】
なお、本発明は、前記係合連結部材及び連結ピンがそれぞれ連結部材又は連結手段として機能するため、両側部に被係合部が形成されたレール部材；長手方向に連結孔が形成されたレール部材；両側部に被係合部が形成され、かつ長手方向に連結孔が形成されたレール部材のいずれかに適用できる。レール部材は左右対称構造である必要はなく、前記被係合部は、レール部材の両側壁の適所に形成できるが、通常、両側壁の上部に形成できる。被係合部は、凹溝（又は凹部）及び／又は突条（又は凸部）で形成してもよく、突条は、前記凹溝を形成することにより凹溝に隣接して形成できるが、凹溝を形成することなく、両側壁に側部外方向に突出させて形成してもよい。連結孔もレール部材の適所に形成でき、前記走行壁に限らず、屈曲底部壁、側部壁や板状上部壁などに形成してもよい。また、連結孔の断面形状も円形状に限らず、異形状（楕円形状、多角形状など）であってもよく、キー溝状などであってもよい。さらに、連結孔は、長手方向に沿って開口している必要はないが、連結ピンの圧入操作性を高めるため、長手方向に沿ってスリット状に開口し、この開口に隣接して湾曲又は屈曲した自由端状の湾曲又は屈曲壁を形成していてもよい。さらには、レール部材には１つの連結孔を形成してもよいが、複数の連結孔（例えば、２〜５、好ましくは２又は３程度の連結孔）を形成することにより、位置決めした状態で短尺なレール部材を整然と整列させて連結できる。
【００２４】
図５は本発明の他の例を示す概略断面図である。この例では、主にレール部材の構造が異なる点を除き、基本的には図１に示す例と同様の連結構造が示されている。すなわち、短尺なレール部材３１ａ，３１ｂは、スチールやステンレススチールなどの硬質で高強度の金属（金属鋼板の折り曲げ加工など）により左右対称な断面形状に形成され、前記と同様に、板状上部壁３２の両端部から屈曲して延びる両側壁３３ａ，３３ｂと、この両側壁の上部に長手方向に沿って凹設され断面コ字状の凹溝３４ａ，３４ｂ及び突条３５ａ，３５ｂと、両側壁３３ａ，３３ｂの下端部がそれぞれ内側に屈曲する屈曲底部壁３６ａ，３６ｂとを備えている。この屈曲底部壁３６ａ，３６ｂの先端部はさらに上部方向に延びて（起き上がって）外側方向に湾曲した（又は丸まった）湾曲壁で形成され、かつランナーの車輪が走行可能な走行壁３７ａ，３７ｂと、この走行壁の湾曲壁で形成された連結孔３８ａ，３８ｂとを有している。
【００２５】
このようなレール部材３１でも、前記と同様の係合連結部材１１及び連結ピン２１で有効に連結できる。
【００２６】
さらに、前記金属で形成された長尺のレール部材を切断して短尺のレール部材３１ａ，３１ｂを製造すると、切断操作に伴って、一方のレール部材３１ａでは連結孔３８ａ，３８ｂの間隔が狭まり、他方のレール部材３１ｂでは連結孔３８ａ，３８ｂの間隔で拡がってしまい、連結孔３８ａ，３８ｂの間隔が異なる短尺のレール部材３１ａ，３１ｂが生成する。例えば、切断操作に伴って、連結孔３８ａ，３８ｂの間隔が１〜１．５ｍｍ程度異なる一対の短尺のレール部材３１ａ，３１ｂが生じる。また、切断に伴って、連結孔３８ａ，３８ｂの形態が変形した短尺のレール部材が生成する場合がある。このようなレール部材３１ａ，３１ｂであっても、前記連結ピン２１を連結孔３８ａ，３８ｂに装着又は圧入することにより、連結孔３８ａ，３８ｂの間隔や変形を矯正でき、位置ズレすることなく隣接する短尺なレール部材３１ａ，３１ｂを整然と連結できる。
【００２７】
レール部材は、係合連結部材との係合状態で係合連結部材により挟持又は挟着可能であれば、両側壁を備えている必要はない。図６は本発明の他の例を示す概略断面図である。
【００２８】
この例でも、主にレール部材の構造が異なる点を除き、基本的には図１に示す例と同様の連結構造が示されている。すなわち、短尺なレール部材４１ａ，４１ｂは、金属の押し出し加工（又はアルミニウムの押し出し成形）により左右対称な断面Ｉ字状の形態に形成されている。このレール部材４１ａ，４１ｂは、板状支軸部４２と、この板状支軸部４２の上下両端部からそれぞれ側方へ延出し、被係合部としての延出係合部（突出係合部）４３ａ，４３ｂ，４４ａ，４４ｂと、前記板状支軸部４２の上下端部に形成された連結孔４５ａ，４５ｂとを備えている。なお、前記延出係合部４３ａ，４３ｂ，４４ａ，４４ｂの基部は厚肉に形成して補強され、係合連結部材５１の係合屈曲部５３との係合強度を高めるため、上部の延出係合部４３ａ，４３ｂの下部壁の先端部は、下方向に突出又は膨出し、下部の延出係合部４４ａ，４４ｂの上部壁の先端部は、上方向に突出又は膨出し、それぞれ断面台形状の凹部を形成している。なお、断面台形状の凹部は、ランナーの車輪の走行面を形成してもよい。
【００２９】
なお、係合連結部材５１において、板状取付部５２の一方の端部に形成された前記係合屈曲部５３は、前記上部延出係合部４３ａ，４３ｂの下部壁の先端部で下方向に突出又は膨出した突出又は膨出部を収容又は装着可能な断面コ字状又は台形状に形成されている。係合連結部材５１は、前記と同様に、板状取付部５２の他方の端部から延び、かつ螺合部材が螺合可能な側壁部も備えている。
【００３０】
このようなレール部材４１も、前記係合連結部材５１と、連結孔４５ａ，４５ｂに装着可能な前記と同様の連結ピン２１とを用いて有効に連結できる。
【００３１】
本発明では、係合連結部材及び連結ピンのうち少なくとも一方の連結部材又は連結手段で、短尺なレール部材を連結すればよい。すなわち、前記係合連結部材を用いる場合には連結ピンは必ずしも必要ではなく、連結ピンを用いる場合には前記係合連結部材は必ずしも必要ではない。好ましい態様では、前記係合連結部材及び連結ピンの双方を用いて、隣接するレール部材が連結される。
【００３２】
係合連結部材は、一対の短尺なレール部材の連結域（隣接域）に配設可能であればよいため、通常、長さの短い部材である。また、係合連結部材でレール部材を連結する場合、レール部材は必ずしも連結孔を有している必要はない。前記係合連結部材の板状取付部は、レール部材の幅に対応して、互いに隣接するレール部材の連結域（隣接域）に配設可能であればよく、通常、連結域（隣接域）を覆うことが可能（カバー可能）な平板状の形態を有していてもよい。板状取付部の幅方向の一方の端部に屈曲又は湾曲して形成された屈曲係合部は、レール部材の側壁に形成された第１の被係合部（凹溝、突条や延出又は突出係合部など）に係合可能であればよく、前記断面Ｖ字状に限らず、断面Ｕ字状やコ字状などの形態で屈曲又は湾曲していてもよい。好ましい形態では、屈曲係合部は、レール部材の側壁の第１の突条を深部に案内するため、前記断面Ｖ字状の形態などのように、板状取付部の内側方向にいくにつれて下方に傾斜した傾斜壁（ガイド壁）を有していてもよい。また、屈曲係合部は、レール部材の側壁の第１の突条を収容するための収容凹部（断面コ字状などの形態の収容部）を有していてもよい。
【００３３】
前記板状取付部の幅方向の他方の端部に形成された側部壁には、進退動により第２の被係合部に対して係合又は挟持可能な進退動部材が装着可能である。このような進退動部材は、前記のように、側部壁への螺合により進退動可能な螺合部材（ネジ部材）であってもよく、バネなどの付勢部材により、板状取付部の内側方向に付勢され、かつ第２の被係合部に対して係合又は挟持可能な爪部材（進退動可能な爪部材）で構成してもよい。簡単な構造で第２の被係合部と係合させ、かつ挟持又は挟着機構によりレール部材を保持するためには、螺合部材が有利である。
【００３４】
このような係合連結部材を用いる場合には、前記形態の連結ピンに限らず、隣接する短尺のレール部材の連結孔に装着可能な連結ピンを使用してもよい。この連結ピンは、係合連結部材による連結を補助してもよく、例えば、連結孔に挿入又は装着可能な外径を有していてもよい。好ましい態様では、連結ピンは、連結孔に対して抜け止め状態（又は抜け止め不能な状態）で装着される。
【００３５】
なお、連結ピンの断面形状は、連結孔に対応して、円形状であってもよく、異形状（楕円形状、多角形状など）であってもよく、連結孔がキー溝状である場合には、キー状であってもよい。
【００３６】
好ましい態様では、前記のように、レール部材の長手方向に形成された連結孔に対して抜け止め状態で、複数の短尺なレール部材を互いに長手方向に連結可能な連結ピンが使用される。このような連結ピンは、その周面に、軸方向（長手方向）及び／又は周方向に延びる１又は複数の突起部又は突条部を形成したピンであってもよい。なお、連結ピンの周方向には全周に亘り突条部を形成してもよいが、通常、周方向に間隔をおいて複数の突起部を形成する場合が多く、このような突起部は、軸方向に所定間隔をおいて周方向に形成してもよい。
【００３７】
さらに、連結ピンは、所定長さの軸部（円筒状などの形態の軸部）と、この円筒状軸部の両側部を残して軸方向の中央部域に形成された厚肉円筒部と、この厚肉円筒部に互いに平行に又は交差して形成又は刻設された溝部とを備えている。前記軸部は、前記連結孔に挿入可能な外径を有しており、厚肉円筒部は前記連結孔の内径よりも大きな外径を有している。このような厚肉円筒部に溝部を互いに平行に又は交差させて形成することにより、厚肉円筒部の外径が連結孔の内径より大きくても、連結孔に対する連結ピンの圧入に伴って変形又は圧潰可能な凸部又は突起部（若しくは突条）を形成できる。
【００３８】
図７及び図８は連結ピンの他の例を示す概略図である。この例の連結ピン６１は、前記連結ピン２１と同様に、連結孔に挿入可能な所定長さの円筒状軸部６２と、この円筒状軸部の軸方向の中央部域（両側部を余した中央部領域）に形成され、前記連結孔の内径よりも大きな外径を有する厚肉円筒部６３とを備えている。この厚肉円筒部の周面には、周方向に間隔をおいて軸方向（長手方向）に沿って互いに平行に延びる断面Ｖ字状の溝部（直線状の横長溝部）６４が形成され、これらの溝部６４の刻設により、厚肉円筒部の周面には軸方向（長手方向）に延びる断面逆Ｖ字状の凸条（横長突起部）６６が形成されている。このような連結ピン６１であっても連結孔に装着又は圧入することにより一対のレール部材を緊密に連結できる。
【００３９】
なお、図７及び図８に示すような横長溝部を有する連結ピンにおいて、隣接する溝部が形成された突条の端面形状は、頂部が鋭角な三角形状であってもよく、頂部の幅が狭い台形状などの形態であってもよい。
【００４０】
好ましい態様では、前記溝部は、厚肉円筒部の軸方向及び周方向に形成することにより、周面に縦横方向に隣接する凸部又は突起部（縦横交差溝部）を形成してもよく、厚肉円筒部の軸方向に対して斜め方向に交差させて、軸線に対して互い違いに隣接する凸部又は突起部（螺旋状又は斜め交差溝部）を形成してもよい。このような溝部により、レット状の厚肉円筒部（交差溝部）又はレット部を形成してもよい。
【００４１】
さらに、溝部の断面形状は、Ｖ字状に限らず、コ字状、Ｕ字状などであってもよいが、圧入操作性の点から、底部よりも上部が開いた形態（底部に向かって狭まる形態）の溝部を形成すると、凸部又は突起部の頂部が変形又は圧潰しやすくなる。すなわち、厚肉円筒部には多角錐状（三角錐状、四角推状など）の凸部又は突起部を隣接して形成する場合が多い。さらに、凸部又は突起部は軸方向に沿って平行（軸方向の同一線上）に形成してもよいが、圧入操作性の点から、軸方向に対して互い違いの形態（千鳥状の形態）で隣接して形成するのが好ましい。
【００４２】
なお、連結孔の内径を「１」としたとき、前記軸部の外径は、０．９〜０．９８（例えば、０．９５〜０．９７）程度であってもよく、前記厚肉円筒部の外径は、１．０１〜１．１（例えば、１．０２〜１．０５）程度であってもよい。また、軸部の外径を「１」としたとき、溝部は、軸部の表面から０〜０．２（例えば、０．０３〜０．１５）、好ましくは０．０４〜０．１（例えば、０．０５〜０．０８）程度での深さに形成してもよい。さらに、凸部又は突起部の底部の平均径（異形にあっては短径と長径との平均値）は、０．２〜２ｍｍ（例えば、０．３〜１．５ｍｍ）、好ましくは０．４〜１ｍｍ（例えば、０．５〜０．８ｍｍ）程度であってもよい。斜め交差溝部において、溝部の交差角度は、２５〜７５°（例えば、３０〜６０°）程度であってもよく、４０〜５０°程度であってもよい。
【００４３】
さらに、連結ピンは、前記係合連結部材を用いることなく、横方向にレール部材を連結できるだけでなく、レール部材を任意の方向に連結できる。また、挟持機構は、前記係合連結部材への螺合部材の螺合を利用した挟持又は挟着機構に限らず、一対のプレートなどによる挟持又は挟着機構を利用してもよい。図９は本発明のさらに他の例を示す概略断面図である。
【００４４】
この例では、短尺な一対のレール部材７１ａ，７１ｂは、スライド部材（中間連結部材）８１が長手方向に沿ってスライド式に装着可能なガイド溝（アリ溝状装着凹部）７２ａ，７２ｂと、このガイド溝に対向する側壁に長手方向に沿って形成され、かつ前記連結ピン２１が装着可能な断面円弧状の連結孔７３ａ，７３ｂとを備えている。なお、レール部材７１ａ，７１ｂはランナーが走行自在に装着可能な収容溝（又は走行空間）７４ａ，７４ｂも備えている。
【００４５】
このようなレール部材７１ａ，７１ｂでは、レール部材の接続部（隣接部又は境界部）において、ガイド溝７２ａ，７２ｂに板状のスライド部材（中間連結部材）８１をスライド式に装着し、連結孔７３ａ，７３ｂに連結ピン２１を装着又は圧入し、スライド部材８１に長手方向に間隔をおいて形成（又は溶接）された複数のネジ部材（ネジ棒）８２に挟圧プレート８３の孔部を通し、前記各ネジ部材（ネジ棒）８２に、必要によりワッシャを介してナット７４を螺合して締結することにより、隣接するレール部材７１ａ，７１ｂを立設させて縦方向に強固に連結できる。
【００４６】
なお、連結ピンは、前記係合連結部材や、前記スライド部材及び挟圧プレートによる挟圧又は挟持機構などのように、レール部材の側端部（側壁の凹凸被係合部）や側壁（スライド溝などの開口部から狭まって延出する延出側壁）を挟持して保持するための挟持機構又は挟着機構とともに用いる場合が多い。
【００４７】
本発明は、前記のように、前記係合連結部材（挟持連結部材又は挟圧連結部材）と連結ピンとを備え、レール部材を連結するための連結用セット；レール部材と係合連結部材と連結ピンとを備えた連結構造も包含する。このような連結構造は、壁部に前記係合連結部材を取り付け；この係合連結部材板状取付部を、端面を突き合わせ又は対峙させた状態で、隣接する短尺のレール部材の連結域（隣接域）に跨いだ状態で配設し、前記前記係合連結部材の屈曲係合部に、前記レール部材の第１の被係合部（凹溝又は突条など）を係合させるとともに、前記レール部材の第２の被係合部（凹溝又は突条など）にネジ部材などの進退動部材を前進動させて係合させ；隣接するレール部材の連結孔に連結ピンの両側部をそれぞれ装着又は圧入することにより、隣接するレール部材を連結又は施工できる。
【００４８】
このような係合連結部材及び／又は連結ピンを用いると、レール部材の長さを著しく短くしても長いレール部材に連結でき、レール部材の保管及び輸送スペースを大きく低減できる。特に、レール部材の重量が大きいため、レール部材の輸送コストを大幅に低減できる。例えば、短尺なレール部材の長さが、例えば、１〜５ｍ、好ましくは１〜３ｍ（例えば、１．５〜２．５ｍ）程度であっても、係合連結部材及び／又は連結ピンを用いることにより、施工場所に応じて、任意の長さ、例えば、３〜１０ｍ若しくはそれ以上の長さに連結又は延長できる。レール部材は、直線的なレール部材に限らず、湾曲した又は湾曲化又は曲げ可能なレール部材であってもよい。
【００４９】
レール部材は、種々の材料で形成でき、通常、金属、例えば、アルミニウム、鉄（スチール）又は金属合金（ステンレススチール）などで形成できる。
【００５０】
なお、レール部材に対して走行可能なランナーの種類は特に制限されず、一対の車輪と、この車輪を連結する軸部と、この軸部を回転可能に支持する支持部と、この支持部に取り付けられ、被走行体（カーテンなどの遮蔽体、部品などの搬送体など）を係止又は取り付けるための取付部（フック部など）とを備えていてもよい。また、取付部は、支持部に対して揺動自在に取り付けてもよく、支持部と取付部との間には、周方向に回転可能な軸部が介在していてもよい。
【産業上の利用可能性】
【００５１】
本発明は、複数の短尺なレール部材を隣接させて簡便かつ簡単に連結でき、所望の長さの長尺のレールを形成できる。また、レール部材は、壁部（上部壁、側部壁、特に、天井壁）に対して取り付けることもでき、支柱状の形態で取り付けることもできる。そのため、レール部材を施工し、種々の空間、例えば、室内空間、室外空間（家屋や集合住宅などの建造物のリフォームや改修のための屋外空間）などを仕切るために有用であり、レール部材に沿って被搬送体を搬送又は移動するためにも有用である。
【符号の説明】
【００５２】
レール部材…１ａ，１ｂ，３１ａ，３１ｂ，４１ａ，４１ｂ，７１ａ，７１ｂ
両側壁…３ａ，３ｂ，３３ａ，３３ｂ
凹溝…４ａ，４ｂ，３４ａ，３４ｂ
突条…５ａ，５ｂ，３５ａ，３５ｂ
連結孔…８ａ，８ｂ，３８ａ，３８ｂ，４５ａ，４５ｂ，７３ａ，７３ｂ
係合連結部材…１１，５１
板状取付部…１２，５２
屈曲係合部…１３，５３
側部壁…１４
螺合部材（ネジ部材）…１５
連結ピン…２１，６１
軸部…２２，６２
厚肉円筒部…２３，６３
溝部…２４，６４
交差溝部（螺旋状溝部）…２５
突起部…２６，６６
延出係合部…４３ａ，４３ｂ，４４ａ，４４ｂ
スライド部材…８１
挟圧プレート…８３
【図１】
0006417563.tif 000002
【図２】
0006417563.tif 000003
【図３】
0006417563.tif 000004
【図４】
0006417563.tif 000005
【図５】
0006417563.tif 000006
【図６】
0006417563.tif 000007
【図７】
0006417563.tif 000008
【図８】
0006417563.tif 000009
【図９】
0006417563.tif 000010